(57)【要約】      （修正有）【課題】ティシュ箱や生活必需品等から発生する粉塵を速やかに清浄化する空気清浄機を提供する。【解決手段】空気清浄機１の本体上面部分１１の一部に、ティシュ箱１６ａを収納するための収納部１２を設けた。収納部１２の上に取付けらえたスライドカバー１３を開けてティシュペーパー１６ｂを取り出すことができ、そのとき発生した粉塵は近傍の吸込み口３から吸引され、空気清浄機１内で清浄化されるので、直接、室内空間に飛散される粉塵の量を減少させることができる空気清浄機１を提供できる。【選択図】図５
2017067423.tif 000002
【特許請求の範囲】
【請求項１】
本体上面部分に、ティシュ箱などの生活用品や、その他事務用品等を収納するための、凹部形状の収納部を設け、かつ収納部の上面部分には、前後方向に移動可能なスライドカバーを備えたことを特長とする空気清浄機。
【請求項２】
本体上面部分に、ティシュ箱などの生活用品や、その他事務用品等を収納するための、凹部形状の収納部を設け、かつ収納部の上面部分には、前後方向に移動可能なスライドカバーを備えたことを特長とする空気清浄機であって、このスライドカバーは、タッチスイッチ、人感センサー等からの信号をもとに駆動される電動モーターによって開口し、その後、あらかじめ設定された時間後に閉口することを可能とした空気清浄機。
【請求項３】
空気清浄機が、運転入切スイッチの操作によって停止中の場合であっても、スライドカバーが開口を始めた場合には、あらかじめ設定された時間だけ、空気清浄運転を行うことを可能とした、請求項２に記載の空気清浄機。
【発明の詳細な説明】
【技術分野】
【０００１】    本発明は、一般家庭や事務所等で使用される空気清浄機に関するものである。
【発明の概要】
【発明が解決しようとする課題】
【１００２】    図１３に示す様に、一般家庭や事務所等で使用されている従来の空気清浄機１０１は、操作表示制御部１０７の中に組み込まれた運転入切スイッチ１０８等を操作して空気清浄機１０１を運転し、空気清浄機前面部分１０９とフロントパネル１１０との間に形成された吸込み口１０３から取り込んだ空気を、空気清浄機本体１０２内に設置された集塵装置１０４で清浄化し、送風装置１０５によって吹出し口１０６より室内空間に戻す機能を有しているが、粉塵の発生源の一つである、たとえばティシュ箱や、その他身近に使用する生活用品、事務用品等を収納するための構造を備えていない。
【課題を解決するための手段】
【０００３】    本発明の外観、構造について、図１、図２をもとに説明すると、空気清浄機１の本体上面部分１１には、運転入切スイッチ８ａなど空気清浄機１の操作、表示、制御に必要な部品で構成された操作表示制御部７と、吹出し口６等が、また、本体前面部分９とフロントパネル１０との間には吸込み口３が形成され、本体ケース２の内部には集塵装置４と送風装置５が内蔵されている従来の空気清浄機の構造に加え、本発明の空気清浄機１は、本体上面部分１１の一部に、ティシュ箱等の生活用品や事務用品等を収納することができる収納部１２を設けたことを特徴とする。【０００４】    収納部１２の上面部分には、収納部１２を覆うことが出来るスライドカバー１３が設けられており、収納部１２の両側に形成されたレール１４をガイドとして、前後方向に移動することができる構造となっている。【０００５】    レール１４は、図９（ａ）に示すように、単純に凸状の突起を横向きにした形状でもよく、または、図９（ｂ）に示すように、スライドカバー１３が外れにくいように、凹状の突起を横向きにした形状でもよく、更に、図９（ｃ）に示すように、収納部１２付近は凸状の突起を横向きにして形成し、スライドカバー１３が吹き出し風の風圧を受ける吹出し口６部分は凹状の突起を横向きにした形状としてもよい。【０００６】    本発明の第一実施例は、スライドカバー１３の開閉を手動にて行う場合であり、図３、図４、および、図５、図６をもとに以下に説明する。【０００７】    ここでは、収納部１２に、粉塵の発生原因の一つであるティシュ箱１６ａを収納した場合を例にとって説明する。【０００８】    ティシュペーパー１６ｂを使用しない場合は、図３、図４に示すように、スライドカバー１３は閉じておくが、空気清浄機１を運転していれば、従来の空気清浄機と同じように、室内空気を吸込み口３から取り込み、集塵装置４で清浄化し、送風装置５によって吹出し口６から室内に戻されるので、室内の空気は清浄化される。【０００９】    次に、ティシュペーパー１６ｂを使用する場合は、図５、図６に示すように、スライドカバー１３を手動で開くことによって、ティシュペーパー１６ｂを引き出すことができる。【００１０】    このときに発生する粉塵の多くは、矢印で示すように直近の吸込み口３から空気清浄機１内に吸引され、清浄化された空気が吹出し口６から室内空間に戻されるので、ティシュペーパー１６ｂをティシュ箱１６ａから引き出すときに発生する粉塵が、直接、室内空間に放出される量を減少させることが出来る。【００１１】    また、図１０（ａ）、図１０（ｂ）に示す様に、収納部１２の吸込み口３側には、通風口１７が設けられているが、この通風口１７からも、ティシュペーパー１６ｂを引き出すときに発生する粉塵の吸引が可能であると同時に、収納部１２の底に溜まった粉塵をも吸引して清浄化することが出来る。【００１２】    また、スライドカバー１３が開いているときは、図５、図６でわかるように、スライドカバー１３が収納部１２に近い吹出し口６を塞ぐことになるので、収納部１２近辺の吹出し口６からの風量は著しく減少するため、ティシュ箱１６ａからティシュペーパー１６ｂを引き抜くときに発生する粉塵が、吹き出し風��巻き込まれることによる、室内空間への飛散量を減少させる効果がある。【００１３】    本発明の第二実施例は、空気清浄機１が運転入切スイッチ８ａによって停止状態の場合であっても、一時運転スイッチ８ｂを操作することによって、自動的にスライドカバー１３を一定時間開き、さらに一定時間、空気清浄運転をも行うことができる機能を持たせた空気清浄機１である。【００１４】    その構造、動作について、図７、図８をもとに説明すると、一時運転スイッチ８ｂは、タッチスイッチもしくは、手などの近接を感知する人感センサーであって、このスイッチを操作することによって、操作表示制御部７内に組み込まれた制御部が、図８に示すステッピングモーターなどの電動モーター１５を動かし、スライドカバー１３を開閉させることが出来ると同時に、空気清浄機１の運転、停止も行うことが出来る。【００１５】    スライドカバー１３が開いてから閉じるまでの時間、および、このときの空気清浄機１の運転時間は、あらかじめ操作表示制御部７内のスイッチにて設定できる。【００１６】    したがって、空気清浄機１が、運転入切スイッチ８ａの操作によって停止中の場合であっても、一時運転スイッチ８ｂを操作することによって、スライドカバー１３を開けてティシュペーパー１６ｂを引き抜くことが出来るとともに、同時に空気清浄運転をも行うことができるので、室内への粉塵の飛散を抑える効果がある。【００１７】    以上、本発明の、第一実施例、第二実施例について説明してきたが、収納部１２と操作表示制御部７との位置関係は、説明図中で使用したものに限定されるものではなく、例えば、図１１のように操作表示制御部７と収納部１２とを入れ替えてもよく、また、図１２に示すように操作表示制御部７を分割し、その間に収納部１２を置いてもよい。【００１８】    また、操作表示制御部７内の、運転入切スイッチ８ａ、一時運転スイッチ８ｂなどのスイッチ等についても説明図中で使用したレイアウトに限られるものではない。【００１９】    以上、収納部１２にティシュ箱１６ａを収納した場合について説明してきたが、収納する生活用品、事務用品はこれに限らず、電動シェーバーのように、使用中に粉塵を発生するだけでなく、使用後においても粉塵が付着しているものも収納できる。【００２０】    さらに、電動シェーバーを空気清浄機１の収納部１２に収納しておけば、空気清浄機１の近くで電動シェーバー使用するのに便利であり、したがって電動シェーバーを使用中に発生する粉塵を、室内空間に飛散する前に空気清浄機１に吸引し、室内への飛散量を減少させることが出来る。【００２１】    その他、収納部１２には、テレビや家具等の塵を掃除するためのハンディモップや、花粉の付着した三次元マスクなどを収納しておくのにも適している。【００２２】    以上説明したように、空気清浄機１の本体上面部分１１に収納部１２を設けることにより、粉塵の発生源となる生活用品等を収納でき、これらから発生する粉塵の一部を室内空間に飛散する前に空気清浄機１内に吸引し、清浄化できるので、空気清浄機１の目的を、室内空気だけでなく、粉塵の発生源となる一部の生活用品等にまで広げることが出来る。【００２３】    以上、本発明を実施するための形態、効果について記述したが、本発明は記述の実施形態に限定されるものではなく、技術思想に基づいた変更が可能である。【００２４】    例えば、吹出し口６、収納部１２、操作表示制御部７などが配置される上面部分は、必ずしも水平である必要はなく、傾斜していてもよく、また、曲面形状を取り入れて設計、製作することも可能であり、空気清浄機１の上面部分にティシュ箱１６ａの等生活用品、事務用品等を収納可能な構造を有するものは本発明の技術思想の範囲である。
【図面の簡単な説明】
【００２５】
【図１】本発明の空気清浄機の外観斜視図
【図２】本発明の空気清浄機の収納部を含む断面図
【図３】本発明の空気清浄機の第一実施例で、スライドカバーを閉じたときの動作説明外観斜視図
【図４】同断面図
【図５】本発明の空気清浄機の第一実施例で、収納部にティシュ箱を収納し、スライドカバーを開けたときの動作説明外観斜視図
【図６】同断面図
【図７】本発明の空気清浄機の第二実施例で、収納部にティシュ箱を収納し、スライドカバーを開けたときの動作説明外観斜視
【図８】同断面図
【図９】（ａ）レールの実施例（ａ）  （ｂ）レールの他の実施例（ｂ）  （ｃ）レールの他の実施例（ｃ）
【図１０】（ａ）通風口の詳細断面図（ａ）  （ｂ）通風口の詳細断面図（ｂ）
【図１１】収納部と操作表示制御部の他のレイアウト例（１）
【図１２】収納部と操作表示制御部の他のレイアウト例（２）
【図１３】従来の空気清浄機の外観斜視図
【符号の説明】
【００２６】１  空気清浄機
２  本体ケース
３  吸込み口
４  集塵装置
５  送風装置
６  吹出し口
７  操作表示制御部
８ａ  運転入切スイッチ
８ｂ  一時運転スイッチ
９  本体前面部分
１０  フロントパネル
１１  本体上面部分
１２  収納部
１３  スライドカバー
１４  レール
１５  電動モーター
１６ａ  ティシュ箱
１６ｂ  ティシュペーパー
１７  通風口１７
【図１】
2017067423.tif 000003
【図２】
2017067423.tif 000004
【図３】
2017067423.tif 000005
【図４】
2017067423.tif 000006
【図５】
2017067423.tif 000007
【図６】
2017067423.tif 000008
【図７】
2017067423.tif 000009
【図８】
2017067423.tif 000010
【図９】
2017067423.tif 000011
【図１０】
2017067423.tif 000012
【図１１】
2017067423.tif 000013
【図１２】
2017067423.tif 000014
【図１３】
2017067423.tif 000015